(57)【要約】  燃料電池ユニットと燃料電池コントローラとを含む燃料電池システムであって、燃料電池ユニットは変化する電気負荷に供給するための電力量を発生させるように構成され、燃料電池コントローラは、変化する電気負荷が既定期間内で極大値であることを示す第一表示を受信して、それに応じて、燃料電池ユニットが燃料電池ユニットの最大定格電力出力の既定割合である限定最大電力量を生成するように、燃料電池ユニットを第一値を有する操作パラメータで操作するように構成される。燃料電池コントローラはまた、変化する電気負荷が減少した表示を受信して、それに応じて、燃料電池ユニットが限定最大電力量より低い電力量を生成するように、燃料電池ユニットを第二値を有する操作パラメータで操作するように構成される。【選択図】図１
2019521478.tif 000002
【特許請求の範囲】
【請求項１】
燃料電池ユニットと燃料電池コントローラとを有する燃料電池システムであって、
前記燃料電池ユニットは変化する電気負荷に供給するための電力量を発生させるように構成され、前記電力量は前記燃料電池ユニットの操作パラメータの関数として変化し、
前記燃料電池コントローラは前記燃料電池ユニットと通信可能に結合され、前記燃料電池コントローラは、
前記変化する電気負荷が既定期間内で極大値であることを示す第一表示を受信して、
前記第一表示を受信するのに応じて、前記燃料電池ユニットが前記燃料電池ユニットの最大定格電力出力の既定割合である限定最大電力量を生成するように、前記燃料電池ユニットを第一値を有する操作パラメータで操作し、
前記変化する電気負荷が前記極大値から減少した表示を受信して、
前記変化する電気負荷が前記極大値から減少した前記表示を受信するのに応じて、前記燃料電池ユニットが前記限定最大電力量より低い電力量を生成するように、前記燃料電池ユニットを第二値を有する操作パラメータで操作するように構成される、燃料電池システム。
【請求項２】
前記最大定格電力出力の前記既定割合は約５０％から約６５％の間である、請求項１の燃料電池システム。
【請求項３】
前記最大定格電力出力の前記既定割合は約６５％である、請求項２の燃料電池システム。
【請求項４】
前記電気負荷の電力需要レベルに基づいて信号を発生するように構成される負荷センサをさらに有し、前記第一表示および第二表示は前記負荷センサによって発生された前記信号を含む、請求項１の燃料電池システム。
【請求項５】
前記電気負荷は配電網である、請求項１の燃料電池システム。
【請求項６】
前記燃料電池システムは、前記変化する電気負荷に供給するための電力量を発生するように構成される複数の燃料電池ユニットを有し、前記電力量は前記複数の燃料電池ユニットの操作パラメータの関数として変化し、前記複数の燃料電池ユニットの各燃料電池ユニットの電気出力は結合されて前記変化する電気負荷に電力を供給し、前記複数の燃料電池ユニットの各々は前記最大定格電力出力の電力出力を生成することができる、請求項１の燃料電池システム。
【請求項７】
前記燃料電池コントローラは、前記第一表示を受信するのに応じて、前記複数の燃料電池ユニットのサブセットが限定最大電力量を生成するように、前記複数の燃料電池ユニットを第一組の値を有する操作パラメータで操作するように構成され、前記限定最大電力量は前記燃料電池ユニットの前記最大定格電力出力の既定割合である、請求項６の燃料電池システム。
【請求項８】
前記燃料電池コントローラは、
前記変化する電気負荷が極大値から減少した表示を受信するのに応じて、前記燃料電池ユニットのサブセットの燃料電池ユニットを選定し、
選定した前記燃料電池ユニットの電力出力が第一既定期間にわたって、最小値に下降するように、選定した前記燃料電池ユニットの操作パラメータの値を既定期間にわたって調整するように構成される、
請求項７の燃料電池システム。
【請求項９】
前記最小値は多くても前記最大定格電力出力の４０％である、請求項８の燃料電池システム。
【請求項１０】
前記第一既定期間は約１から約３時間の間である、請求項８の燃料電池システム。
【請求項１１】
前記燃料電池コントローラはさらに、
前記変化する電気負荷が極大値である第二表示を受信し、
選定された前記燃料電池ユニットの電力出力が第二既定期間にわたって限定最大値に戻るように、前記燃料電池ユニットの操作パラメータの値を既定期間にわたって調整するように構成される、
請求項１の燃料電池システム。
【請求項１２】
前記燃料電池ユニットは、燃料供給から生じる反応燃料を受け取るように構成されるアノードと、酸化剤ガスを受け取るように構成されるカソードとを含む、溶融炭酸塩型燃料電池を有しており、操作パラメータは前記燃料供給からの燃料流量、または酸化装置からの前記酸化剤ガスの流量のうち少なくとも一つを定義する、請求項１の燃料電池システム。
【請求項１３】
第一の複数の燃料電池ユニット、第二の複数の燃料電池ユニット、および燃料電池コントローラを有する燃料電池システムであって、
前記第一の複数の燃料電池ユニットは、電力を変化する電気負荷に供給するように構成され、電力量は前記第一の複数の燃料電池ユニットの操作パラメータの関数として変化し、
前記第二の複数の燃料電池ユニットは、電力を前記変化する電気負荷に供給するように構成され、電力量は前記第二の複数の燃料電池ユニットの操作パラメータの関数として変化し、
前記第一の複数の燃料電池ユニットと前記第二の複数の燃料電池ユニットとにある各燃料電池ユニットは最大定格電力出力を有しており、
前記燃料電池コントローラは、前記第一の複数の燃料電池ユニットと前記第二の複数の燃料電池ユニットとに通信可能に結合され、
前記燃料電池コントローラは、
前記第一の複数の燃料電池ユニットにある各燃料電池ユニットが既定の操作条件で前記最大定格電力出力を生成するように、前記第一の複数の燃料電池ユニットの前記各燃料電池ユニットを、既定値として第一値を有する操作パラメータで操作して、
前記変化する電気負荷が既定期間内で極大値である表示を受信し、
前記変化する電気負荷が前記極大値である前記表示に応じて、前記第二の複数の燃料電池ユニットが前記最大定格電力出力の既定割合である限定最大電力量を生成するように、前記第二の複数の燃料電池ユニットにある前記燃料電池ユニットの各々を、値を有する操作パラメータで操作して、
前記変化する電気負荷が極大値から減少した第一表示を受信し、
前記変化する電気負荷が前記極大値から減少した前記第一表示を受信するのに応じて、前記第二の複数の燃料電池ユニットにある燃料電池ユニットの操作パラメータを、前記燃料電池ユニットが前記限定最大電力量より低い電力量を生成するように調整するように構成される、燃料電池システム。
【請求項１４】
前記最大定格電力出力の前記既定割合は、約５０％から約６５％の間である、請求項１３の燃料電池システム。
【請求項１５】
前記燃料電池コントローラはさらに、前記変化する電気負荷が極大値である表示を受信するのに応じて、前記第二の複数の燃料電池ユニットの各燃料電池ユニットが同じ限定最大値の電力出力を生成するように、前記第二の複数の燃料電池ユニットにある燃料電池ユニットの各々を同じ値を有する操作パラメータで操作するように構成される、請求項１３の燃料電池システム。
【請求項１６】
前記燃料電池コントローラは、
前記変化する電気負荷が極大値である表示を受信するのに応じて、
前記第一サブセットにある各燃料電池ユニットが第一限定最大値の電力出力を生成するように、前記第二の複数の燃料電池ユニットの第一サブセットを第二値を有する操作パラメータで操作し、
前記第二サブセットにある各燃料電池ユニットが第二限定最大値の電力出力を生成するように、前記第二の複数の燃料電池ユニットの第二サブセットを、第三値を有する操作パラメータで操作するように構成される、
請求項１３の燃料電池システム。
【請求項１７】
前記燃料電池コントローラはさらに、前記変化する電気負荷が極大値から減少した第一表示を受信するのに応じて、前記第一サブセットにある各燃料電池ユニットが第一最小電力量を生成するように、前記第一サブセットを第四値を有する操作パラメータで操作し、一方で前記第二サブセットを前記第二値を有する前記操作パラメータで操作し続けるように構成される、
請求項１６の燃料電池システム。
【請求項１８】
前記第一最小量は多くても前記最大定格電力出力の４０％である、請求項１７の燃料電池システム。
【請求項１９】
前記燃料電池コントローラはさらに、
前記変化する電気負荷が極大値から減少した第二表示を受信し、
前記第二表示を受信するのに応じて、前記第二サブセットにある前記各燃料電池ユニットが第二最小電力量を生成するように、前記第二サブセットを第五値を有する操作パラメータで操作し、一方で前記第一サブセットを前記第二値を有する前記操作パラメータで操作し続けるように構成される、
請求項１７の燃料電池システム。
【請求項２０】
前記第一および前記第二の複数の燃料電池ユニットにある各燃料電池ユニットは、燃料供給から生じる反応燃料を受け取るように構成されるアノードと、酸化装置から酸化剤ガスを受け取るように構成されるカソードとを含んでおり、操作パラメータは前記燃料供給からの前記反応燃料流量、または前記酸化装置からの前記酸化剤ガスの流量のうち少なくとも一つを定義する、請求項１３の燃料電池システム。
【発明の詳細な説明】
【技術分野】
【０００１】
本願は、２０１６年６月６日に出願された米国仮特許出願第６２／３４５，９４７号の利益および優先権を主張し、その開示の全体は参照することによって本明細書に組み込まれる。
【背景技術】
【０００２】
本明細書に記載の実施形態は概して、バルク電気システムの負荷における変化を担うために燃料電池システムの出力を変動させるためのシステムおよび方法に関連し、特に、燃料電池のエイジングを加速させることなく燃料電池システムの出力を変動させるためのシステムおよび方法に関連する。
【０００３】
燃料電池は、炭化水素燃料に保存されたエネルギーなどの化学エネルギーを、電気化学反応によって電気エネルギーに変換する装置である。概して燃料電池は、荷電イオンを導く役割をする電解質によって分離された、アノード電極およびカソード電極を含む。溶融炭酸塩型燃料電池や固体酸化物燃料電池などの高温の燃料電池は、酸化剤ガス（たとえば二酸化炭素や酸素）がカソード電極を通過される一方で、反応燃料ガスをアノード電極に通過させることによって作動する。所望の電力レベルを生成するために、複数の個々の燃料電池が直列に積み重ねられ得る。作動中に、燃料電池システムは電力を配電網などの負荷に供給し得る。もしこのような負荷が燃料電池システムから予期せず除去されると（たとえば配電網がダウンすると）、このような除去は負荷変動を生じ、このような負荷変動のいくつかは、熱機械的応力の変化によって燃料電池システムのエイジングを加速させ得る。
【発明の概要】
【０００４】
一実施形態では、燃料電池システムは燃料電池ユニットを含み、燃料電池ユニットは変化する電気負荷に供給するための電力量を発生させるように構成され、電力量は燃料電池ユニットの操作パラメータの関数として変化する。燃料電池システムはまた、燃料電池ユニットと通信可能に結合される燃料電池コントローラを含む。燃料電池コントローラは、変化する電気負荷が既定期間内で極大値であることを示す第一表示を受信するように構成される。第一表示を受信するのに応じて、燃料電池コントローラは燃料電池ユニットが燃料電池ユニットの最大定格電力出力の既定割合である限定最大電力量を生成するように、燃料電池ユニットを第一値を有する操作パラメータで操作するように構成される。燃料電池コントローラはまた、変化する電気負荷が極大値から減少した表示を受信するように構成される。変化する電気負荷が極大値から減少した表示を受信するのに応じて、燃料電池コントローラはまた、燃料電池ユニットが限定最大電力量より低い電力量を生成するように、燃料電池ユニットを第二値を有する操作パラメータで操作するように構成される。
【０００５】
燃料電池システムの一態様では、最大定格電力出力の既定割合は約５０％から約６５％の間である。
【０００６】
燃料電池システムの一態様では、最大定格電力出力の既定割合は約６５％である。
【０００７】
燃料電池システムの一態様では、燃料電池システムは電気負荷の電力需要レベルに基づいて信号を発生するように構成される負荷センサをさらに含み、第一表示および第二表示は負荷センサによって発生された信号を含む。
【０００８】
燃料電池システムの一態様では、電気負荷は配電網である。
【０００９】
燃料電池システムの一態様では、燃料電池システムは、変化する電気負荷に供給するための電力量を発生するように構成される複数の燃料電池ユニットを含み、電力量は複数の燃料電池ユニットの操作パラメータの関数として変化する。複数の燃料電池ユニットの各燃料電池ユニットの電気出力は結合されて変化する電気負荷に電力を供給する。複数の燃料電池ユニットの各々は最大定格電力出力の電力出力を生成することができる。
【００１０】
燃料電池システムの一態様では、燃料電池コントローラは、第一表示を受信するのに応じて、複数の燃料電池ユニットのサブセットが限定最大電力量を生成するように、複数の燃料電池ユニットを第一組の値を有する操作パラメータで操作するように構成され、限定最大電力量は燃料電池ユニットの最大定格電力出力の既定割合である。
【００１１】
燃料電池システムの一態様では、燃料電池コントローラは、変化する電気負荷が極大値から減少した表示を受信するのに応じて、燃料電池ユニットのサブセットの燃料電池ユニットを選定し、選定した燃料電池ユニットの電力出力が第一既定期間にわたって最小値に下降するように、選定した燃料電池ユニットの操作パラメータの値を既定期間にわたって調整するように構成される。
【００１２】
燃料電池システムの一態様では、最小値は多くても最大定格電力出力の４０％である。
【００１３】
燃料電池システムの一態様では、第一既定期間は約１から約３時間の間である。
【００１４】
燃料電池システムの一態様では、コントローラはさらに、変化する電気負荷が極大値である第二表示を受信し、選定された燃料電池ユニットの電力出力が第二既定期間にわたって限定最大値に戻るように、燃料電池ユニットの操作パラメータの値を既定期間にわたって調整するように構成される。
【００１５】
燃料電池システムの一態様では、燃料電池ユニットは、燃料供給から生じる反応燃料を受け取るように構成されるアノードと、酸化剤ガスを受け取るように構成されるカソードとを含む、溶融炭酸塩型燃料電池を有しており、操作パラメータは燃料供給からの燃料流量、または酸化装置からの酸化剤ガスの流量のうち少なくとも一つを定義する。
【００１６】
異なる実施形態では、燃料電池システムは電力を変化する電気負荷に供給するように構成される第一の複数の燃料電池ユニットを含み、電力量は第一の複数の燃料電池ユニットの操作パラメータの関数として変化する。燃料電池システムはまた、電力を変化する電気負荷に供給するように構成される第二の複数の燃料電池ユニットを含み、電力量は第二の複数の燃料電池ユニットの操作パラメータの関数として変化し、第一の複数の燃料電池ユニットと第二の複数の燃料電池ユニットとにある各燃料電池ユニットは最大定格電力出力を有する。燃料電池システムはまた、第一の複数の燃料電池ユニットと第二の複数の燃料電池ユニットとに通信可能に結合される燃料電池コントローラを含む。燃料電池コントローラは、第一の複数の燃料電池ユニットにある各燃料電池ユニットが既定の操作条件で最大定格電力出力を生成するように、第一の複数の燃料電池ユニットの各燃料電池ユニットを、既定値として第一値を有する操作パラメータで操作するように構成される。燃料電池コントローラはまた、変化する電気負荷が既定期間内で極大値である表示を受信するように構成される。変化する電気負荷が極大値である表示に応じて、燃料電池コントローラは、第二の複数の燃料電池ユニットが最大定格電力出力の既定割合である限定最大電力量を生成するように、第二の複数の燃料電池ユニットにある燃料電池ユニットの各々を、値を有する操作パラメータで操作するように構成される。燃料電池コントローラはまた、変化する電気負荷が極大値から減少した第一表示を受信するように構成される。変化する電気負荷が極大値から減少した第一表示を受信するのに応じて、燃料電池コントローラは、第二の複数の燃料電池ユニットにある燃料電池ユニットの操作パラメータを、燃料電池ユニットが限定最大電力量より低い電力量を生成するように調整するように構成される。
【００１７】
燃料電池システムの一態様では、最大定格電力出力の既定割合は、約５０％から約６５％の間である。
【００１８】
燃料電池システムの一態様では、燃料電池コントローラはさらに、変化する電気負荷が極大値である表示を受信するのに応じて、第二の複数の燃料電池ユニットの各燃料電池ユニットが同じ限定最大値の電力出力を生成するように、第二の複数の燃料電池ユニットにある燃料電池ユニットの各々を同じ値を有する操作パラメータで操作するように構成される。
【００１９】
燃料電池システムの一態様では、燃料電池コントローラは、変化する電気負荷が極大値である表示を受信するのに応じて、第一サブセットにある各燃料電池ユニットが第一限定最大値の電力出力を生成するように、第二の複数の燃料電池ユニットの第一サブセットを第二値を有する操作パラメータで操作し、第二サブセットにある各燃料電池ユニットが第二限定最大値の電力出力を生成するように、第二の複数の燃料電池ユニットの第二サブセットを、第三値を有する操作パラメータで操作するように構成される。
【００２０】
燃料電池システムの一態様では、燃料電池コントローラはさらに、変化する電気負荷が極大値から減少した第一表示を受信するのに応じて、第一サブセットにある各燃料電池ユニットが第一最小電力量を生成するように、第一サブセットを第四値を有する操作パラメータで操作し、一方で第二サブセットを第二値を有する操作パラメータで操作し続けるように構成される。
【００２１】
燃料電池システムの一態様では、第一最小量は多くても最大定格電力出力の４０％である。
【００２２】
燃料電池システムの一態様では、燃料電池コントローラはさらに、変化する電気負荷が極大値から減少した第二表示を受信するように構成される。第二表示を受信するのに応じて、燃料電池コントローラは、第二サブセットにある各燃料電池ユニットが第二最小電力量を生成するように、第二サブセットを第五値を有する操作パラメータで操作し、一方で第一サブセットを第一値を有する操作パラメータで操作し続けるように構成される。
【００２３】
燃料電池システムの一態様では、第一および第二の複数の燃料電池ユニットにある各燃料電池ユニットは、燃料供給から生じる反応燃料を受け取るように構成されるアノードと、酸化装置から酸化剤ガスを受け取るように構成されるカソードとを含んでおり、操作パラメータは燃料供給からの反応燃料流量、または酸化装置からの酸化剤ガスの流量のうち少なくとも一つを定義する。
【図面の簡単な説明】
【００２４】
【図１】一実施形態例に従う、負荷追従燃料電池ユニットに関する概略図である。
【図２】一実施形態例に従う、負荷変動する燃料電池ユニットを含む発電システムの概略図である。
【図３】一実施形態例に従う、燃料電池コントローラの概略図である。
【図４】一実施形態例に従う、燃料電池ユニットを負荷変動させるための方法のフロー図である。
【図５】一実施形態例に従う、電気負荷の需要に従って発電システムを操作する方法である。
【図６】例示の一実施形態に従う、電力を配電網に供給するシステムにおいて、順応性を増大させる必要性を示す図である。
【図７】例示の一実施形態に従う、複数のユニットの燃料電池システムのターンダウン性能を示す図である。
【発明を実施するための形態】
【００２５】
本明細書に記載の実施形態は概して、バルク電気システムの負荷における変化を担うために燃料電池システムの出力を変動させるためのシステムおよび方法に関連し、特に、燃料電池のエイジングを加速させることなく燃料電池システムの出力を変動させるためのシステムおよび方法に関連する。
【００２６】
バルク電気システム（または配電網）の負荷は、昼夜および一年を通しての季節によって変化する。資源が無駄にされないように、そして全ての需要家がピーク時に必要な電力を受け取られるように、バルク電気システムの発電・負荷バランスが維持されているのが重要である。ガスタービン発電機のような従来の負荷追従ユニット（ときに“ピーカ（ｐｅａｋｅｒ）”ユニットと呼ばれる）は、バルク電気システムの負荷に追従してバルクシステムの発電・負荷バランスを維持するように配備される。しかし、これらの従来のピーカユニットは汚染物質を放出し、燃料効率が悪く、結果として炭素排出量がより多くなる。
【００２７】
太陽光発電機や風力発電機などの、断続的な再生可能資源の普及が広まるにつれて、バルク電気システムの発電・負荷バランスを維持するために、さらに多くの負荷追従性を示すピーカ資源が必要とされる。たとえば、カリフォルニアＩＳＯは、図６に図示されるグラフ６００に図示されるように、これらの動向により州内の電力順応性に対する必要性が大きくなっていることを確認している。図６に図示されるように、２０２０年までに負荷の最小とピークとの間の一日の変動は約１４ギガワットになり、現在得られるよりもより大きな電力順応性が要求されるであろうということが推定される。このような電力順応性の供給は、価値が成長している報酬を伴ったサービスである。
【００２８】
これに関して、本明細書に記載のシステム、方法、および装置の一実施例では、溶融炭酸塩型燃料電池発電所がグリッドパラレルモード（ｇｒｉｄ  ｐａｒａｌｌｅｌ  ｍｏｄｅ）で作動され、発電所の燃料電池はその出力を通常出力と最小出力との間で変動することが可能で、通常出力は燃料電池の熱的中性負荷点によって決定される値に限定されている。燃料電池の熱的中性負荷点に基づく通常の出力は、一実施例では燃料電池の最大定格出力の５０〜６５％の間になり得る。具体的には、溶融炭酸塩の最大電力出力を限定することによって、燃料電池スタックを総定格電力の約５０〜６５％の間である熱的中性域に直接改質しながら、スタックのエイジングを加速させたりスタックの寿命に影響を与えたりすることなく、燃料電池プラントの出力が一日に一回０％または他の最適な減少した出力に変動されそして元に戻され得る。この性能は、従来の負荷追従発電に関する望ましくない汚染物質を避けながら、図６でカリフォルニアＩＳＯに確認されている、負荷が上昇する需要の最悪の場合に対応することができる。
【００２９】
燃料電池発電所の燃料電池は、日常的に通常出力（たとえば最大定格出力の５０〜６０％まで）から最小出力に変動され得る。最小出力は好ましくは燃料電池の最大定格出力の２９％である場合がある。あるいは、変動される燃料電池の最小出力は、（最大定格出力の）０％、５％、１０％、１５％、２０％、２５％、４０％、および／または０と通常出力との間の任意の他の値である場合がある。一実施形態では、燃料電池がその通常出力から零出力に変動するのにかかる時間は約３時間であるが、しかしながら、他の実施形態では、１時間などのより速い変動時間が使用され得る。一実施形態では、燃料電池発電所は、エイジングに影響することなく、日常的に燃料電池発電所の最大定格の２８〜６５％の間で変動するように構成され得る。
【００３０】
一実施例では、マルチユニットの燃料電池発電所設備が、グリッドパラレルモードで作動している溶融炭酸塩型燃料電池発電所を使用する。プラントのそれぞれの燃料電池は、その出力を通常出力と零出力との間で日常的に変動させることが可能である。この場合の通常出力は、燃料電池の熱的中性負荷点によって決定される値に限定され、一般的には最大定格出力の５０〜６５％である。全体のシステムの需要に応じて、マルチユニットの燃料電池発電所設備における燃料電池発電所の一部のみが負荷変動モードで作動され、残りの燃料電池発電所は最大定格容量で作動される。たとえば、燃料電池プラントの６０％が負荷変動モードで作動するように構成されると、全体のシステムは設備に対して４０％から１００％の間の負荷変動性能を達成することができるであろう。他の実施例では、全体のシステムの需要に応じて、異なる割合の燃料電池が負荷変動モードで作動され得る。
【００３１】
図１は一実施形態例に従って、負荷追従燃料電池ユニット１００を概略的に図示したものである。図示されるように、負荷追従性燃料電池ユニット１００は、１つ以上のトッピング燃料電池スタック１０４を含むトッピングモジュール１０２と、１つ以上のボトミング燃料電池スタック１１２を含むボトミングモジュール１１０とを含む。トッピングモジュール１０２とボトミングモジュール１１０とは、トッピング燃料電池スタック１０４のうちの１つにあるアノード１０６から生成される第一排気流がボトミング燃料電池スタック１１２のアノード１１４に供給されるように直列に接続される。さらに、直列に接続されることによって、ボトミング燃料電池スタック１１２のうちの１つにあるカソード１１６から生成される第二流が、トッピング燃料電池スタック１０４のカソード１０８に供給される。ある実施形態では、負荷追従燃料電池ユニット１００は、その全体を参照することで本明細書に組み込まれる米国特許第９,４７８,８１９号明細書に記載されるシステムと同様の方法で作動するように構成される。図１では、トッピングモジュール１０２は２つのトッピング燃料電池スタック１０４を含むように図示され、ボトミングモジュール１１０は１つだけのボトミング燃料電池スタック１１２を含むように図示されているが、トッピングおよびボトミングモジュール１０２および１１０は、本開示の範囲から逸脱することなく、異なる数の燃料電池スタックを含んでもよいことを理解するべきである。
【００３２】
様々な実施形態において、トッピングおよびボトミングモジュール１０２および１１０の燃料電池スタック１０４および１１２は、直接内部改質、間接内部改質、またはその組み合わせのいずれかを含む内部改質燃料電池スタックである場合がある。したがって、一実施形態では、燃料電池スタック１０４および１１２の各々は内部改質ユニットを含み、内部改質ユニットは（たとえば燃料供給１１８または補充供給からの）燃料を変換し、水素と一酸化炭素とを含む改質された燃料をアノード１０６および１１４に出力する。本明細書に記載の方法で、酸化剤ガスがカソード１０８および１１６に供給される。アノード１０６および１１４に供給される改質された燃料はその後、酸化剤ガスとの電気化学反応を受けて水と電力の出力とを生成する。
【００３３】
負荷追従燃料電池ユニット１００が作動している間、燃料供給１１８からの燃料（たとえば、天然ガス、合成ガス、または再生可能なバイオガスなどの炭化水素系燃料）が接続線を介して加湿器１２０に導入される。加湿器１２０はまた、追加の接続線を介して水供給１２２から水を受け取り、燃料と水とを化合させて、トッピングモジュール１０２に使用されるための燃料を加湿する。様々な実施形態では、加湿器１２０に供給される燃料と水の量は、接続線内に配置されるバルブ１２４および１２６として図示される、流量制御装置によって制御される。本明細書に記載されるように、いくつかの実施形態では、バルブ１２４および１２６の動作状態は、燃料電池コントローラ１４２によって制御されており、負荷追従燃料電池ユニット１００によって生成される電力出力を、電気負荷１４４から受信する需要レベルに一部基づいて変化させる。
【００３４】
加湿された燃料はつぎに、トッピングおよびボトミングモジュール１０２および１１０にそれぞれ導入される前に、加熱のために熱交換器１２８を通過する。いくつかの実施形態では、加湿された燃料は熱交換器１２８に導入される前に、燃料が部分的に改質されるプレコンバータ（図示なし）に導入される。さらに、燃料がトッピングモジュール１０２に導入される前に、様々な他の燃料加工段階（たとえば還元、脱硫）が実施される場合がある。そして加熱された燃料はトッピング燃料電池スタック１０４のアノード１０６に導入される。同時に、ボトミング燃料電池スタック１１２のカソード１１６から出力されるカソード排出はトッピング燃料電池スタック１０４のカソード１０８に供給され、加熱された燃料が電気化学反応を受けて、配電網などの電気負荷１４４への出力となる電力を生成する。カソード１０８から出力されるカソード排出は熱交換器１２８に供給され、アノード１０６に導入される前に加湿された燃料を加熱する。
【００３５】
様々な実施形態では、トッピング燃料電池スタック１０４のアノード１０６は受け取った加熱された燃料の一部のみを消費する。したがって、アノード１０６からのアノード排出出力は、その中に消費されていない燃料を含む。この排出は、トッピング燃料電池スタック１０４の下流かつボトミング燃料電池スタック１１２の上流に設置される増圧ブロワ１３０に受け取られる。増圧ブロワ１４０はアノード排出がボトミング燃料電池スタック１１２に導入される前にアノード排出の圧力を増大させる。
【００３６】
いくつかの実施形態では、増圧ブロワ１３０によってボトミングモジュール１１０に供給されるアノード排出は、補充燃料供給１３２からの燃料を補充される。トッピングモジュール１０２からのアノード排出流は十分な量の水を含んでいるので、補充燃料は燃料を加湿するための追加の水を必要としないでアノード排出と混合され得る。いくつかの実施形態では、補充燃料供給１３２から供給される補充燃料の量は、バルブ１３４として図示される流量制御装置によって制御される。本明細書に記載されるように、いくつかの実施形態では、バルブ１３４の動作状態は燃料電池コントローラ１４２によって制御されており、負荷追従燃料電池ユニット１００によって生成される電力出力を、電気負荷１４４から受信する需要レベルに一部基づいて変化させる。
【００３７】
トッピングモジュール１０２によって生成されたアノード排出と任意の補充燃料との化合物が、次にボトミング燃料電池スタック１１２のアノード１１４に導入される。入力燃料はボトミングアノード１１４内の直接内部改質によって改質され得る。ボトミングアノード１１４によって生成される排出は、次に酸化装置１３６に供給される。酸化装置１３６は、アノード排出と空気供給１３８から受け取った予熱された空気の第一部とを混合させて酸化剤ガスを生成する、混合装置を含み得る。酸化剤ガスは空気供給１３８からの予熱された空気の第二部と化合され、ボトミングカソード１１６に入力するための入力酸化剤ガスを生成し得る。
【００３８】
いくつかの実施形態では、空気供給１３８は増圧ブロワ１４０によって負荷追従燃料電池ユニット１００の周囲から集められた外気を含む。増圧ブロワ１４０は空気が酸化装置１３６に導入される前に空気を加圧する。いくつかの実施形態では、増圧ブロワ１４０の出力は、空気が酸化装置１３６に導入される前に空気を加熱する追加の熱交換器（図示なし）に供給される。いくつかの実施形態では、トッピングモジュール１０２からのカソード排出出力が追加の熱交換器に熱を供給する。上述のように、予熱された空気の第一部は酸化装置１３６に供給され、第二部は酸化装置１３６を迂回して、ボトミングカソード１１６に導入される前に第一部と再び化合される。いくつかの実施形態では、酸化装置に導入される空気量は、（たとえば、供給ラインにある流量制御バルブを制御することで）燃料電池コントローラ１４２によって制御され、電気負荷１４４の需要に基づいて負荷追従燃料電池ユニット１００による電力出力のレベルを制御する。
【００３９】
ボトミング燃料電池スタック１１２は、トッピングモジュール１１０のアノード排出からの燃料と、酸化装置１３６からの酸化剤ガスとの両方によって供給されるので、ボトミングモジュール１１０で電気化学反応が発生し、電気負荷に供給するための電力出力を生成する。ボトミングカソード１１６からのカソード排出はトッピング燃料電池スタック１０４のカソード１０８に運ばれる。いくつかの実施形態では、空気供給１３８からの空気の一部はボトミングモジュール１１０を回避し、補充酸化剤としてトッピング燃料電池スタック１０４のカソード１０８に導入される。カソード１０８に導入される前に、ブロワ（図示なし）が補充酸化剤を加圧し得る。燃料電池スタック１０４に導入される水量は、負荷追従燃料電池ユニット１００による電力出力のレベルを制御するために、燃料電池コントローラ１４２によって制御され得る。
【００４０】
負荷追従燃料電池ユニット１００はさらに、トッピングおよびボトミングモジュール１０２および１１０の結合されたＤＣ電力出力を、電気負荷１４６に供給するためのＡＣ電力出力に変換するように構成されたインバータ１４６を含む。様々な実施形態において、インバータ１４６は設定値（たとえば燃料電池コントローラ１４２に供給される）に従って作動し、設定値は、トッピングおよびボトミングモジュール１０２および１１２によって生成され、変換されて電気負荷１４４に供給されるＤＣ電力出力の分量を決定する。いくつかの実施形態では、負荷追従燃料電池ユニット１００は、トッピングおよびボトミングモジュール１０２および１１０の各々の電力出力を調整するように構成されたＤＣレギュレータ（たとえば、燃料電池スタック１０４および１１２の各々に関連する１つのＤＣレギュレータ、図示なし）を含む。
【００４１】
さらに図１を参照すると、負荷追従燃料電池ユニット１００は、負荷追従燃料電池ユニット１００の様々な構成要素の動作を制御するように構成される燃料電池コントローラ１４２を含む。様々な実施形態において、燃料電池コントローラ１４２は、負荷追従燃料電池ユニット１００の様々な操作パラメータを制御するように構成される。このパラメータは、トッピングモジュール１０２に導入される燃料供給１１８からの燃料量（たとえばバルブ１２４の制御によって）、加湿器１２０に供給される水供給１２２からの水量（たとえばバルブ１２６の制御によって）、ボトミングモジュール１１０へのアノード排出の入力圧力（たとえば増圧ブロワ１３０の制御によって）、ボトミングモジュール１１０に供給される補充燃料量（たとえばバルブ１３４の制御によって）、ボトミングモジュール１１０に供給される酸化剤ガスの圧力（たとえばブロワ１４０の制御によって）、トッピングモジュール１０２に供給される空気供給１３８からの補充空気量、トッピングモジュール１０２に導入されるボトミングモジュール１１０からのカソード排出の圧力（たとえばカソード排出ブロワの制御によって、図示なし）、ボトミングモジュール１１０に入力される酸化剤ガスの温度を制御するために熱交換器の周りを回避される空気量、およびインバータ１４６の設定値を含むが、これらに限定されない。
【００４２】
様々な実施形態において、負荷追従燃料電池ユニット１００は、電気負荷１４４の発電需要に応じて、異なるエネルギーモードで作動するように構成される。いくつかの実施形態では、電気負荷１４４は、数多くの異なる需要家に電力を供給するように構成された配電網のような、大規模な配電システムを含む。配電網の需要家の各々に要求される電力のレベルが時間の関数として変化し得るので（たとえば、需要家は日中よりも夜間により多くの電力を要求し得る）、電気負荷１４４によって必要とされる電力量は時間によって変化する。資源が無駄にされないように、そして全ての需要家がピーク時に必要な電力を受け取られるように、負荷追従燃料電池ユニット１００の発電・負荷バランスが維持されているのが重要である。ガスタービン発電機のような、従来の負荷追従ユニット（ときに“ピーカ”ユニットと呼ばれる）は、負荷に追従してバルクシステムの発電・負荷バランスを維持するように配備される。しかし、これらの従来のピーカユニットは汚染物質を放出し、燃料効率が悪く、結果として炭素排出量がより多くなる。
【００４３】
従って、電力需要が少ない時に電力出力を低減させるように負荷追従燃料電池ユニット１００の操作パラメータを調整することは利益があるであろう。いくつかの実施形態では、ピーク定格容量で操作しているとき、負荷追従燃料電池ユニット１００は、電気負荷１４４に使用されるための電力を供給可能な方法で、３．７ＭＷの電力出力を生成することが可能である。しかし、負荷追従燃料電池ユニット１００が３．７ＭＷの電力出力を生成するように作動すると、負荷追従燃料電池ユニット１００の寿命は逆に負荷変動に影響され、これは燃料電池システムから電力を取り出す負荷が急激に減少する（または完全になくなる）ことによって生じ得る。具体的には、負荷追従燃料電池ユニット１００の構成要素は、このような負荷変動状態の間に、熱機械的応力の変化と関連する加速した燃料電池スタックのエイジングとを経験する。一般的な燃料電池は、このようなエイジングを被ることなく日常的に定格負荷操作から１０％までその負荷を低下させることができる。一般的な燃料電池はまた、エイジングを被ることなく、２週間ごとにその負荷を２０％まで低下させることができる。多くの場合、これらの負荷変動値を超過することは、燃料電池のエイジングを著しく加速させるであろう。
【００４４】
よって、本明細書に開示のシステムおよび方法に従って、電気負荷１４４のからの電力需要がピークの間（たとえば、電気負荷１４４に要求される電流が既定のピーク域内であるとき）、燃料電池コントローラ１４２は、負荷追従燃料電池ユニット１００が熱的中性域内で作動するように構成される。いくつかの実施形態では、負荷追従燃料電池ユニット１００は約２４００ｋＷの低減された最大出力（つまり６５％までの容量）で操作される。こうすることで負荷追従燃料電池ユニット１００は、ただちにもしくは１〜３時間にわたって、上述の負のエイジングの影響を受けずに、電力をオフまたは他の最適な最小電力に変動できる。必要なときには、プラントの電力出力は１〜３時間にわたって２４００ｋＷに再び上昇され得る。この負荷変動は燃料電池スタックの寿命に影響することなく一日に一回実行され得る。
【００４５】
具体的には、溶融炭酸塩の最大電力出力を限定することによって、燃料電池スタック（たとえば、それぞれトッピングおよびボトミングモジュール１０２および１１０の燃料電池スタック１０４および１１２）を、総定格電力の約５０〜６５％の間である熱的中性域に直接改質しながら、スタックのエイジングを加速させたりスタックの寿命に影響を与えたりすることなく、燃料電池プラントの出力は一日に一回０％または他の最適な減少した出力に変動されそして元に戻され得る。したがって、負荷追従燃料電池ユニット１００の出力は、電気負荷１４４の電力需要レベルが減少した表示に応じて燃料電池コントローラ１４２によって調整され得る。このような操作は、図３〜５に関して下記でより詳細に記載される。
【００４６】
ここで図２を参照すると、一実施形態例に従う、発電システム２００の概略図が図示されている。発電システム２００は燃料電池発電所２０２と燃料電池コントローラ２１０とを含む。燃料電池発電所２０２は、第一組の燃料電池ユニット２０４、第二組の燃料電池ユニット２０６、および第三組の燃料電池ユニット２０８として図示される、燃料電池ユニットの組をいくつか含む。ある実施形態において、燃料電池ユニットの組２０４、２０６、２０８の各々は、図１に関して本明細書で議論される負荷追従燃料電池ユニット１００のような燃料電池ユニットを複数含む。いくつかの実施形態では、燃料電池ユニットの組２０４、２０６、および２０８における各燃料電池ユニットは、図１のいくつかの要素を共有し得る。たとえば、燃料電池ユニットの各々が総体的な燃料供給から燃料を受け取り、燃料電池コントローラ１４２が燃料電池ユニットの組２０４、２０６、および２０８にある燃料電池ユニットの各々への燃料の配分を制御し得る。加えて、燃料電池ユニットの各々は、本開示の範囲を逸脱することなく、空気供給、水供給、熱交換器、酸化装置、または燃料電池スタックの外部にある他の構成要素をも共有し得る。いくつかの実施形態では、燃料電池ユニットの組２０４、２０６、および２０８における各燃料電池ユニットは、図１に図示されるものと異なる構成を含む場合がある。たとえば、一実施形態では、燃料電池ユニットの組２０４、２０６、および２０８における各燃料電池ユニットは、単純サイクル燃料電池を含む。
【００４７】
ある実施形態では、燃料電池ユニットの電気出力の各々が結合されて直流電流（ＤＣ）電力出力をインバータ２１４に供給し、インバータ２１４がＤＣ電流を交流電流（ＡＣ）出力に変換する。いくつかの実施形態では、燃料電池ユニットの組２０４、２０６、および２０８の各々は別々のインバータおよび／またはＤＣ電流レギュレータを含む。ＡＣ出力の電圧は、次に、配電網２１８による大規模な分配のために変圧器２１６によって増大される。いくつかの実施形態では、分配される電力は、多相のＡＣ出力である。負荷センサ２２０は電力出力の特性を監視するように構成される。いくつかの実施形態では、負荷センサ２２０は複数の検知ユニット（たとえば電力出力の各相に関連するもの）を含み、各相の電力出力の複数の面（たとえば電圧や電流）を計測するように構成される。いくつかの実施形態では、配電網２１８は、様々な需要家の電力需要の変化に応じて配電網２１８の共通結合の点における出力電圧を維持するように構成される電圧レギュレータを含む。従って、複数の負荷センサ２２０がこのような共通結合の点における電流を計測し、本明細書に記載の方法を実行するのを容易にするためにこのようなデータを燃料電池コントローラ２１０に供給する。
【００４８】
一実施形態では、燃料電池ユニットの組２０４、２０６、２０８は、上述の負荷追従燃料電池ユニット１００のような燃料電池ユニットを合計で８個含む。したがって、最大定格電力出力を生成するように作動されるとき、燃料電池発電所２０２は２９．６ＭＷの電力を発電できる場合がある。しかしながら燃料電池コントローラ２１０が、燃料電池ユニットの各々の最大電力出力を、熱的中性域にある燃料電池スタックの電力出力（たとえば最大定格電力出力の約６５％、もしくは約２．４ＭＷ）に限定し得る。したがって、（バルク電気システム操作者の関心事である）総体的なサイト出力は、図７に図示されるグラフ７００に図示されるように、個々の燃料電池ユニットを順次変動することによって調整され得る。具体的には、図７は８ユニットの２０ＭＷ燃料電池発電所２０２のターンダウン性能を図示した図である。この配置は、高い燃費を維持しながら現場においてフルターンダウン容量をもたらす。単一ガスタービン発電機などの競合する技術は、ターンダウン能力が限られており（一般的に定格出力の４０％まで）、負荷動作が減少したときに効率が著しく低下する。
【００４９】
図７に図示されるように、システムは８個の燃料電池ユニットを含み、その各々は、ユニットの一日の変動がエイジングを加速させないように、その最大定格出力と比べて減少された最大出力で作動する。また図示されるように、システムの出力はバルク電気システム負荷の変化する需要を担うように０ＭＷから２０ＭＷで制御され得る。既存のシステムは一般的に最大定格で作動しており、もしこのような負荷変動が実施されたら著しく劣化することになり、この出力の順応性は既存のシステムでは不可能である。他の実施例では、異なる数の燃料電池ユニットが使用され、異なる全電力出力が達成される場合がある。
【００５０】
様々な実施形態において、燃料電池発電所２０２における各燃料電池ユニットの電力出力は、第一既定期間にわたって減少され得る。様々な実施形態において、燃料電池発電所２０２の燃料電池ユニットは、限定最大出力（つまり、最大定格出力の５０〜６０％まで）から、最小出力に日常的に変動され得る。最小出力は好ましくは燃料電池の最大定格出力の２９％になり得る。あるいは、変動される燃料電池の最小出力は、（最大定格出力の）０％、５％、１０％、１５％、２０％、２５％、４０％、および／または０と限定最大出力との間の他の任意の値でもよい。一実施形態では、燃料電池ユニットがその限定最大出力から零出力に変動するのに約３時間かかるが、しかしながら他の実施形態では、１時間のようなより速い変動時間が使用され得る。
【００５１】
様々な実施形態において、発電システム２００の電力出力は、燃料電池コントローラ２１０によって変化される。燃料電池コントローラ２１０は、燃料電池発電所２０２や発電システム２００の他の様々な構成要素（たとえばエネルギー回収ユニット２１２）に制御信号を与えるように構成される。したがって、燃料電池コントローラ２１０は、それぞれの電力出力を制御するために、燃料電池ユニットの様々な操作パラメータ（たとえば、燃料電池ユニットの様々な燃料電池スタックに供給される燃料量、様々な燃料電池スタックに供給される酸化剤ガスの量、燃料の加湿、酸化剤ガスに与えられる二酸化炭素の程度、アノード間の圧力差など）を制御するように構成される、いくつかの制御信号を発生させ得る。燃料電池コントローラ２１０のより詳細な説明は、図３に関連して記載される。
【００５２】
一例において、配電網２１８がピーク域内の電力量（たとえば１７，０００から２５，０００メガワットの間）を要求していることを示す表示を受信するのに応じて、燃料電池コントローラ２１０は、限定最大出力で作動するように燃料電池プラント２０２の燃料電池ユニットの各々に制御信号を送り得る。しかしながら、配電網２１８が要求する電力量が減った（たとえば１１，０００から１３，０００メガワットの間）ことを示す他の表示を受信するのに応じて、燃料電池コントローラ２１０は燃料電池ユニットのサブセットの操作パラメータを調整して、電力出力を設定された最小出力（たとえば最大定格出力の０％、５％、１０％、１５％、２０％、２５％、４０％）に既定時間（たとえば３時間）にわたって低減させる場合がある。配電網２１８がピーク域内の電力量を要求することを示す他の表示を受信するのに応じて、燃料電池コントローラ２１０が下降変動された燃料電池ユニットの操作パラメータを調整して、その電力出力が既定時間（たとえば３時間）にわたって限定最大出力に戻る場合がある。
【００５３】
いくつかの実施形態では、燃料電池コントローラ２１０は、別の組の操作パラメータに従って、燃料電池ユニットの組２０４、２０６、および２０８の各々を操作する。たとえば、一実施形態では、負荷センサ２２０からのピーク需要の表示（たとえば第一既定域内で計測された電流）に応じて、燃料電池コントローラ２１０は第一組の燃料電池ユニット２０４にある各燃料電池ユニットを第一限定最大電力出力（たとえば最大定格電力出力の約５０％）で、第二組の燃料電池ユニット２０６にある各燃料電池ユニットを第二限定最大電力出力（たとえば最大定格電力出力の約６０％）で、そして第三組の燃料電池ユニット２０８にある各燃料電池ユニットを第三限定最大電力出力（たとえば最大定格電力出力の約６５％）で操作し得る。このようなずれのある手段は、バルク電気システムの負荷の時に予測できぬ満ち引きを達成するのにおいてより大きな順応性をもたらし得る。
【００５４】
たとえば、負荷センサ２２０から電力需要が低下した表示（たとえば、配電網２１８によって取り出される電流が減少する、または第一既定域より低い第二既定域内で電流が計測される）を受信するのに応じて、燃料電池コントローラ２１０が、燃料電池ユニットの組２０４、２０６、および２０８のうちのいずれか一つもしくは組み合わせの操作パラメータを調整して、燃料電池発電所２０２の全体の電気出力を減少させる場合がある。一例において、電力需要が減少した表示が、需要における限られた減少である場合（たとえば、ピーク需要の５％から１０％などの小さな割合の変化）、燃料電池コントローラ２１０は、第一組の燃料電池ユニット２０４の電力出力を単独で減少させて、全体の電力出力への影響を割合として最小にする場合がある。
【００５５】
様々な実施形態において、その全体を参照することによって本明細書に組み込まれる米国特許第７，８００，３４０号明細書に記されるように、燃料電池コントローラ２１０（または図１に関して議論される燃料電池コントローラ１４２）は各燃料ユニットの電力生成を制御するように構成される。たとえば、燃料電池コントローラ２１０は、ルックアップテーブルを利用して、負荷センサ２２０によって返された値を燃料電池発電所２０２に必要とされるＤＣ出力に変換する場合がある。この必要とされるＤＣ出力に基づき、燃料電池コントローラ２１０はさらなるルックアップテーブルを使用することで、それぞれの燃料電池ユニットに対する燃料利用率を決定する。燃料利用率を決定するのに使用される具体的なルックアップテーブルは、必要とされるＤＣ出力、それぞれの燃料電池ユニットの現在の操作モード（たとえば燃料電池ユニットが限定最大電力出力で作動しているか、最小電力出力で作動しているか）、そして燃料電池発電所２０２に供給される燃料の成分などの、いくつかの要素に依存し得る。燃料利用率に基づいて、各燃料電池ユニットに対する燃料需要が決定される。一例において、もし燃料電池発電所２０２の燃料電池ユニットの各々が限定最大出力で作動していると、電気負荷が極小である表示を受信するのに応じて、燃料電池コントローラ２１０は最小のＤＣ出力が要求されていることを判断し、全ての燃料電池ユニットが限定最大出力で作動している燃料電池発電所２０２の操作状態に関連するルックアップテーブルを検索する。ルックアップテーブルを使用すると、各燃料電池ユニットに対する燃料利用率と燃料需要が決定され、制御信号が燃料流量制御バルブに与えられて必要とされるＤＣ出力を発生させる。
【００５６】
いくつかの実施形態では、燃料電池コントローラ２１０は出力における所望の変動を経時的に実現するために、順次（同時とは対照的に）燃料電池ユニットを制御するように構成される。たとえば一実施形態では、燃料電池コントローラ２１０は与えられたシステムにおける燃料電池の全てに負荷変動を均等に分配するように構成される。たとえば、ある日において、第一組の燃料電池ユニット２０４の燃料電池ユニットが、配電網２１８の負荷における減少を担うために負荷変動されると、次の日には燃料電池コントローラ２１０は第二組の燃料電池ユニット２０６を負荷変動するように選択し得る。負荷変動する燃料電池のいずれもが他よりも多く負荷変動されないように、これが日々繰り返され得る。
【００５７】
いくつかの実施形態では、燃料電池発電所２０２における燃料電池ユニットのいくつかは、上述の最大定格電力出力で、もしくはその付近で操作され、一方で他は限定最大電力出力で操作される。最大定格電力出力で操作される燃料電池ユニットは、燃料電池ユニットのエイジングに不利な影響を与えることなく著しく負荷変動することができない。このことから、限定最大電力出力で操作される燃料電池ユニットは、配電網２１８の需要が減少したのに応じて出力を減少させる。表１は、例示の実施形態に従って、ベース負荷の複合サイクル燃料電池（ＣＣＦＣ）ユニット（燃料電池ユニットがピークの定格最大出力でもしくはその近くで作動している）と、負荷変動するＣＣＦＣ燃料電池ユニット（燃料電池ユニットが限定最大電力出力で作動している）との様々な組み合わせを備えた燃料電池発電所２０２の結果を示す表である。
【表１】
2019521478.tif 000003
【００５８】
表１に示されるように、６個のベース負荷燃料電池と０個の負荷変動燃料電池とが作動しているときに、燃料電池発電所２０２は１０％の１日のターンダウン性能を有する。高効率の燃料電池システムはまた、８個の負荷変動燃料電池と０個のベース負荷燃料電池とが作動しているときに、５６％の1日のターンダウン性能を有する。
【００５９】
燃料電池ユニットの組２０４、２０６、および２０８における各燃料電池ユニットが単純サイクル燃料電池（ＳＣＦＣ）を含むようないくつかの実施形態では、発電システム２００はさらにエネルギー回収ユニット２１２を含む。様々な実施形態では、エネルギー回収ユニット２１２は、燃料電池発電所２０２から生成された廃熱（たとえば、燃料電池ユニットの燃料電池スタックからのカソード排出）を使用して追加のＡＣ電力出力を発生させるように構成される有機ランキンサイクルタービンを含む。様々な実施形態において、燃料電池コントローラ２１０は、発電システム２００の電力変化性をさらに増大させるために、エネルギー回収ユニット２１２を燃料電池発電所２０２から選択的に分離し得る。あるいは、エネルギー回収ユニット２１２の発電が下降または上昇し得る。表２は、例示の実施形態に従って、２０ＭＷまでの発電所事業における、ベース負荷燃料電池ユニット（つまり最大定格出力で作動している燃料電池ユニット）と、負荷変動燃料電池（つまり、限定された最大出力で作動している燃料電池ユニット）との様々な組み合わせを備えた燃料電池発電所２０２の結果を示す。表２の概要として、結果はシステムでＯＲＣタービンを使用する場合と使用しない場合とで示されている。表２はまた、全ての変動燃料電池ユニットが最大定格操作モードにされるときの状態を参照する、燃料電池発電所２０２のベース負荷変換能力を示す。
【表２】
2019521478.tif 000004
【００６０】
表２に示されるように、１０％の１日あたりの最小ターンダウンは、７個のベース負荷燃料電池ユニットと０個の負荷変動燃料電池ユニットとを使用し、ＯＲＣタービンを使用しないで達成される。これと同じ筋書はＯＲＣタービンを使用すると、１７％のターンダウン容量まで上昇する。表２に示される１日あたりの最大ターンダウン（５９％）は、０個のベース負荷燃料電池ユニットと１０個の負荷変動燃料電池ユニットとを備え、ＯＲＣタービンを使用するシステムから生じる。表２はまた、０個のベース負荷燃料電池ユニットと１１個の負荷変動燃料電池ユニットとを備え、ＯＲＣタービンを使用しないシステムが、５６％の１日あたりの最大ターンダウンをもたらすことを示す。燃料電池ユニットの作動のいずれかの点において、電力需要がより安定した発電を要求するように変化すると、１つ以上の燃料電池ユニットが負荷変動プラントからベース負荷プラントに変換され得る（たとえば電力生成を最大定格電力出力に上昇させることで）。表２はベース負荷発電に加えるための性能を強調する。
【００６１】
ここで図３を参照すると、一実施形態例に従う、図２の発電システム２００の燃料電池コントローラ２１０のより詳細な図が図示されている。燃料電池コントローラ２１０は、処理装置３０４とメモリ３０６とを含む処理回路３０２を含む。処理装置３０４は汎用もしくは特定目的の処理装置、特定用途向け集積回路（ＡＳＩＣ）、１つ以上のフィールドプログラマブルゲートアレイ（ＦＰＧＡ）、処理構成要素の一群、または他の適切な処理構成要素の場合がある。処理装置３０４はメモリ３０６に保管されたもしくは他のコンピュータ可読媒体（たとえば、ＣＤＲＯＭ、ネットワークストレージ、リモートサーバなど）から受信されたコンピュータコードもしくは命令を実行して本明細書に記載される処理の１つ以上を行うように構成され得る。メモリ３０６は、データ、コンピュータコード、実行可能な命令、または他の形態のコンピュータ可読情報を保管するように構成された１つ以上のデータ記憶装置（たとえばメモリユニット、メモリ装置、コンピュータ可読記憶媒体など）を含み得る。メモリ３０６は、ランダムアクセスメモリ（ＲＡＭ）、リードオンリメモリ（ＲＯＭ）、ハードドライブ、一時記憶装置、不揮発性メモリ、フラッシュメモリ、光学メモリ、またはソフトウェアオブジェクトおよび／またはコンピュータ命令を保管するのに適切な他のメモリを含み得る。いくつかの実施形態では、コントローラ２１０はまたユーザインタフェース（図示なし）を含む。ユーザインタフェースは、発電システム２００の構成要素のいずれかの操作パラメータのいずれかを調整するために、操作者の入力を受信することができる、ディスプレイまたは他の要素（たとえばボタン、ジョイスティックなど）を含み得る。
【００６２】
図３に図示されるように、メモリ３０６は負荷監視モジュール３０８および電力出力調整モジュール３１０を含む。メモリ３０６は本開示の範囲から逸脱することなくより多くの、より少ない、もしくは異なるモジュールを含んでもよい。負荷監視モジュール３０８は、発電システム２００が電力出力を供給する電気負荷（たとえば配電網２１８）の電力需要に関して受信したデータを、処理装置３０４に分析させるように構成される。これに関して、負荷監視モジュール３０８は電気負荷に所望される電力レベルに関する様々な入力を分析するように構成され得る。様々な実施形態において、燃料電池コントローラ２１０が（たとえば後述の負荷センサインタフェース３１４を通して）センサ信号（たとえば配電網２１８の特定点において必要とされる電流レベルを指示する）を負荷センサ２２０から受信することに応じて、負荷監視モジュール３０８は受信された信号の分析を処理装置３０４に実行させ得る。
【００６３】
一例において、負荷監視モジュール３０８は様々な電力調整トリガを含み得る。負荷センサ２２０から受信したセンサ信号が電力調整トリガのいずれかによって定義されるパラメータを満たす場合、処理装置３０４は電気負荷の需要に基づいて発電システム２００の総電力出力を調整するために、（たとえば後述の電力出力調整モジュール３１０を通して）燃料電池発電所２０２の様々な燃料電池ユニットの操作パラメータを調整し得る。一つのこのような調整トリガは、（たとえば、もし電気負荷の電力需要が、既定時間内に既定の割合より多く減少すると）負荷センサ２２０からの信号と前に計測された値とを比較することを含む。他の調整トリガは、電力需要の様々な既定範囲および燃料電池発電所２０２の現在の電力出力に関連し得る。たとえば、もし電気負荷に必要とされる電流のレベルが既定のピーク域内で、かつ燃料電池発電所２０２が最大レベルの出力で作動していない場合（たとえば少なくとも１つの燃料電池ユニットが上述の限定最大レベルより低く作動している場合）、負荷監視モジュール３０８は電力出力調整モジュール３１０に燃料電池発電所２０２の電力出力レベルを上昇方向に調整させ得る。他の例では、もし電気負荷に必要とされる電流のレベルが既定の最小域内で、かつ燃料電池発電所が正の電力出力（たとえば少なくとも１つの燃料電池ユニットがゼロでない電力出力を生成している場合）を要求されるより多く生成している場合、負荷監視モジュール３０８は電力出力調整モジュール３１０に燃料電池発電所２０２の電力出力のレベルを下降方向に調整させ得る。
【００６４】
電力出力調整モジュール３１０は、電気負荷に必要とされる電力レベルに基づいて、燃料電池発電所２０２の燃料電池ユニットを操作するように構成される。この点に関して、電力出力調整モジュール３１０は、燃料電池発電所２０２の各燃料電池ユニットの様々な構成要素（たとえば、流量制御バルブ、ブロワ、インバータ、電流レギュレータ）に制御信号を与えて、米国特許第７，８００，３４０号明細書に記載されるように各燃料電池ユニットによる電力出力のレベルを制御するように構成される。上述のように、電気負荷からピークレベルの電力需要の表示を受信するのに応じて、電力出力調整モジュール３１０は、最大レベルの電力出力を供給するために、処理装置３０４が制御信号を（たとえば後述の発電システムインタフェース３１６を通して）与えるようにさせ得る（たとえば燃料電池発電所２０２における各燃料電池ユニットを限定最大電力出力で作動させる、または第一組の燃料電池ユニットを限定最大電力出力で、かつ第二組の燃料電池ユニットを最大定格電力出力で作動させる）。
【００６５】
しかしながら、燃料電池コントローラ２１０が（たとえば負荷監視モジュール３０８を通して）電気負荷に必要とされる電力が減少したことを検知するのに応じて、電力出力調整モジュール３１０は、処理装置３０４に燃料電池発電所２０２の燃料電池ユニットの少なくともいくつかにおける操作パラメータを調整させ得る。たとえば燃料電池コントローラ２１０は、燃料電池ユニットの電力出力を（たとえば限定最大電力出力より低いレベルに）低減させるために、（たとえば図１に関して議論されるバルブ１２４および１２６のようなバルブの位置を調整することによって）燃料電池ユニットへの空気、水、および燃料の流量を制御し得る。さらに、燃料電池コントローラ２１０は、燃料電池発電所２０２の電力出力を低減させるために、インバータ２３４の設定値を制御し得る。電気負荷に必要とされる電力レベルが上昇したことを燃料電池コントローラ２１０が検知するのに応じて、電力出力調整モジュール３１０は、電力出力が上昇したレベルまで戻るように、燃料電池コントローラ２１０に（たとえば図１に関して議論されるバルブ１２４および１２６のようなバルブの位置を調整することによって）燃料電池ユニットへの水および燃料の流量を上昇方向に戻すように調整させ得る。
【００６６】
様々な実施形態において、燃料電池ユニットの操作パラメータの調整が様々な制約３１２を受ける。たとえば、一実施形態では、１つの操作パラメータ（たとえば燃料電池ユニットに導入される燃料量）の調整は、様々な燃料電池構成要素の損傷を防ぐために、既定期間内で既定の量または割合以上によって調整されることはできない。他の制約は調整される燃料電池ユニットの特性に関連し得る。たとえば、いくつかの実施形態では、燃料電池ユニットは、既定の期間（たとえば一日）において既定の回数（たとえば１）より多く（たとえば、限定最大電力出力より低い電力出力まで）下降変動されない。したがって、電力出力調整モジュール３１０は、処理装置３０４を様々な時点における燃料電池ユニットの操作パラメータを識別するデータログにアクセスさせ得る。もしデータログが、第一燃料電池ユニットは既定の期間内に下降変動されたが第二燃料電池ユニットはされていないことを明らかにすると、次に第二燃料電池ユニットの操作パラメータが第二燃料電池ユニットを下降変動するように調整され得る。
【００６７】
図３に図示されるように、燃料電池コントローラ２１０はさらに負荷センサインタフェース３１４を含む。負荷センサインタフェース３１４は負荷センサ２２０から信号を受信するように構成される。いくつかの実施形態では、負荷センサ２２０は有線接続によって燃料電池コントローラ２１０と結合される。したがって、負荷センサインタフェース３１４は、ジャック、はんだ箇所、または燃料電池コントローラ２１０を負荷センサ２２０と物理的に結合させるための任意の他のハードウェアを含み得る。加えて、負荷センサインタフェース４３６は、通信ハードウェア／ソフトウェア、デジタル・アナログ変換器、アナログ・デジタル変換器、電気負荷の電力需要を表す信号を解釈するための回路、および他の適切な構成要素を含み得る。
【００６８】
いくつかの実施形態では、負荷センサインタフェース３１４は、無線通信プロトコル（たとえばＷｉ−Ｆｉ（登録商標）またはＢｌｕｅｔｏｏｔｈ（登録商標））を介して負荷センサ２２０と通信するように構成される、無線通信トランシーバを含む。一例では、負荷センサ２２０は配電網２１８の操作者と関連している場合があり、操作者は使用データ（たとえば実際の電力使用データ、使用予想など）を燃料電池コントローラ２１０に無線で送信する場合がある。したがって、燃料電池コントローラ２１０は、予想される電力需要に基づいて、燃料電池発電所２０２の電力生成レベルを先制して変え得る。
【００６９】
燃料電池コントローラ２１０はさらに発電システムインタフェース３１６を含む。発電システムインタフェース３１６は、発電システム２００の様々な構成要素（たとえば、燃料電池ユニットの構成要素、エネルギー回収ユニット２１２）に制御信号を与え、電力生成のレベルを制御するように構成される。したがって、発電システムインタフェース３１６は、ジャック、はんだ箇所、または燃料電池コントローラ２１０を本明細書に記載の様々な構成要素と物理的に結合させるための任意の他のハードウェアを含み得る。加えて、発電システムインタフェース３１６は、通信ハードウェア／ソフトウェア、デジタル・アナログ変換器、アナログ・デジタル変換器、燃料電池発電所２０２のそれぞれの燃料電池ユニットの電力生成レベルを表す信号を解釈するための回路、および他の適切な構成要素を含み得る。
【００７０】
ここで図４を参照すると、一実施形態例に従って、電気負荷に基づいて負荷追従燃料電池ユニット（たとえば、本明細書で議論される負荷追従燃料電池ユニット１００）を操作するためのプロセス４００のフローチャートが図示されている。プロセス４００はたとえば、上述の燃料電池コントローラ１４２によって実行され得る。あるいは、いくつかの実施形態では、プロセス４００は上述の燃料電池コントローラ２１０によって実行され得る。このような実施形態では、プロセス４００は燃料電池発電所２０２に含まれる複数の燃料電池ユニットの各々に適用され得る。プロセス４００は、燃料電池ユニットのエイジングの影響を最小にしながら、可変的な電力量を供給するように実施され得る。
【００７１】
プロセス４００は、燃料電池ユニットの最大電力出力を、燃料電池ユニットの熱的中性域に限定することを含む（ブロック４０２）。たとえば、燃料電池コントローラ１４２が、電気負荷１４４が極大値にある（たとえば、電気負荷１４４が一日のピーク域内にある電流を取り出し得る）表示を受信し得る。それに応じて、燃料電池ユニット１００が限定最大電力出力を供給するように、燃料電池コントローラ１４２は、（たとえば、燃料供給１１８からの燃料流量、水供給１２２からの水、補充燃料供給１３２からの燃料、トッピングモジュール１０２とボトミングモジュール１１０との間の圧力差を規定する）操作パラメータの組に従って、燃料電池ユニット１００の様々な構成要素（たとえば、バルブ１２４、１２６および１３４、増圧ブロワ１３０および１４０など）を操作し得る。限定最大電力出力は、燃料電池ユニット１００に対する最大定格電力出力の既定の割合（たとえば５０％〜６５％）である場合がある。
【００７２】
プロセス４００は、電気負荷が減少したことを示す表示を受信することを含む（ブロック４０４）。たとえば、電気負荷１４４が配電網を含む構成においては、配電網を通して電力を供給される様々な需要家が電力消費を減少させ（たとえば日中）、結果として電気負荷１４４に取り出される電流が（たとえば一日のピーク域より低く）減少する場合がある。理解されるように、電気負荷の減少量は状況によって変化し得る。
【００７３】
プロセス４００は、第一既定期間内に電力出力を限定最大電力出力から減少させるために、燃料電池ユニットの操作パラメータを調整することを含む（ブロック４０６）。たとえば、電気負荷が減少した表示に応じて、燃料電池コントローラ１４２は、トッピングモジュール１０２の燃料電池スタック１０４のアノード１０６に供給される燃料供給１１８からの燃料流量を減少させて、負荷追従燃料電池ユニット１００の電力出力を第一既定期間（たとえば１〜３時間）にわたって、限定最大値より低い第一最小値に減少させ得る。様々な実施形態において、第一最小値は、負荷追従燃料電池ユニット１００の最大定格電力出力の多くても４０％である。
【００７４】
いくつかの実施形態では、電気負荷が減少したことを示す追加の表示が受信され得る。たとえば、配電網の需要家はさらに、電力消費を４０４で示されるレベルより低く減少させ得る。このような表示に応じて、燃料電池コントローラ１４２は、電力出力を第一最小値から、第一最小値より低い第二最小値（たとえば、０％、５％、１０％、２０％）に第二既定期間（たとえば１時間）にわたって減少させるように、燃料電池ユニットの操作パラメータを調整し得る。
【００７５】
プロセス４００は、電気負荷が増加した表示を受信することを含む。たとえば、配電網の需要家は、電力消費を４０４で示されるレベルより多くに増加させ得る（たとえば、夕方にむかって、電気負荷１４４に取り出される電流は一日のピーク域内の値に増加され得る）。それに応じて、燃料電池コントローラ１４２は、電力出力が第三既定期間（たとえば１〜３時間）内に限定最大値に再び増加するように、負荷追従燃料電池ユニット１００の操作パラメータを調整し得る（ブロック４１０）。たとえば、アノード１０６に供給される燃料量は、負荷追従燃料電池ユニット１００による電力生成を増加させるために、既定の割合で増加し得る。
【００７６】
ここで図５を参照すると、一実施形態例に従って、電気負荷に基づいて燃料電池発電所（たとえば、上述の燃料電池発電所２０２）を操作するためのプロセス５００のフローチャートが図示される。プロセス５１０は上述の燃料電池コントローラ２１０によって実行され得る。プロセス５００は、燃料電池発電所２０２のエイジングの影響を最小にしながら、可変的な電力量を供給するように実施され得る。
【００７７】
プロセス５００は、ユニットごとに最大定格電力出力を供給するように、各燃料電池ユニットの熱的中性域の外側にある燃料電池ユニットの第一数（たとえば、第一組の燃料電池ユニット２０４）を操作することを含む（ブロック５０２）。たとえば、既定値として、燃料電池コントローラ２１０は、第一組の操作パラメータに従って第一組の燃料電池ユニット２０４の燃料電池ユニットの各々を操作して、最大定格電力出力（たとえば３．７ＭＷ）の電力出力を生成し得る。様々な実施形態において、第一組の燃料電池ユニット２０４におけるエイジングの影響を防ぐために、燃料電池コントローラ２１０は燃料電池ユニットの操作パラメータを既定のレベルで維持し得る。いくつかの実施形態では、燃料電池コントローラが第一組の燃料電池ユニット２０４の操作パラメータを変化させ、第一組の燃料電池ユニット２０４における燃料電池ユニットの各々の電力出力を、最大定格電力出力の１０％程度変化させ得る。このような限定された変動は燃料電池発電所２０２の全体の変動能力を増加させる。
【００７８】
プロセス５００は極大電気負荷の表示を受信することを含む。たとえば、配電網２１８の需要家が相対的に大きな電力量を必要とする場合があり（たとえば夕方に）、負荷センサ２２０に１日のピーク域内の電流を検知させる。いくつかの実施形態では、表示は外部の計算システムから受信され得る。たとえば、配電網２１８に関連する機関が、電気負荷の予測を燃料電池コントローラ２１０に供給する場合がある。このような予測はコントローラのメモリ３０６に保存され、燃料電池コントローラ２１０は電力需要予測値を周期的に回収し得る。配電網２１８の電力需要を監視可能ないかなる組織も、このような表示を供給し得る。
【００７９】
プロセス５００は、５０４で受信される表示に応じて、各燃料電池ユニットの熱的中性域内の第二数の燃料電池ユニット（たとえば第二組の燃料電池ユニット２０６）を操作することを含む（ブロック５０６）。したがって、第二組の燃料電池ユニット２０６にある各燃料電池ユニットは、各燃料電池ユニットの最大定格電力出力の既定割合（たとえば、５０〜６５％）である、限定最大電力出力を生成する。このような限定最大電力出力を生成するために、様々な手段がとられ得る。例えば、一実施形態において、第二組の燃料電池ユニット２０６にある各燃料電池ユニットは、各燃料電池ユニットが同じ限定最大値の電力出力を生成するように、第二組の操作パラメータで操作され得る。あるいは、第二組の燃料電池ユニット２０６のサブセットは、異なるサブセットにある燃料電池ユニットが異なる限定最大値の電力出力を生成するように、異なる組の操作パラメータで操作され得る。一例では、第二組の燃料電池ユニット２０６の第一サブセットが第一限定最大値の電力出力（たとえば最大定格電力出力の５０％）を生成し、一方で第二組の燃料電池ユニット２０６の第二サブセットが第二限定最大値の電力出力（たとえば最大定格電力出力の６０％）を生成する。
【００８０】
プロセス５００は、電気負荷が減少したことを示す表示を受信することを含む（ブロック５０８）。たとえば、配電網２１８の需要家が電力消費を減少させ、負荷センサ２２０に１日のピーク域より低い電流レベルを検知させる場合がある。これに応じて、燃料電池コントローラ２１０が第二組の燃料電池ユニット２０６のサブセットを選定する（ブロック５１０）。様々な実施形態において、この選定は燃料電池発電所２０２の下降変動履歴に基づく場合がある。たとえば、燃料電池コントローラ２１０は、様々な時点で様々な燃料電池ユニットを操作するために操作パラメータが使用されたことを示すログを保持する場合がある。したがってログは、燃料電池ユニットが様々な時点で変動されたことを示す。いくつかの実施形態では、燃料電池ユニットのサブセットを選定するために、様々な選定のルールが使用される。一例では、既定の期間内（たとえば一日）にその限定最大出力より低く下降変動された燃料電池ユニットは選定されない。
【００８１】
いくつかの実施形態では、燃料電池ユニットは５０８で受信される表示に基づいて選定される。たとえば、負荷センサ２２０に検知される電気負荷のレベルに応じて、第二組の燃料電池ユニット２０６の異なるサブセットが選定され得る。もし電気負荷の減少が極大値から離れているのが限定されているとき（たとえば１０％）、たとえば、より高い限定最大出力で作動している燃料電池ユニットのサブセットが、燃料電池発電所の総電力出力をより小さな割合で減少させるように選定され得る。
【００８２】
プロセス５００は、燃料電池発電所の電力出力を減少させるために、燃料電池ユニットの選定されたサブセットの操作パラメータを調整することを含む。たとえば、第二組の燃料電池ユニット２０６の選定された燃料電池ユニットについて、燃料電池コントローラ２１０は、燃料と水がトッピングモジュール１０２に供給される量を減らすためにバルブ１２４及び１２６を閉じ、それにより燃料電池ユニットの電力生産を既定期間（たとえば１〜３時間）にわたって最小値に減少させる場合がある。もし極大電気負荷を示す他の表示を受信すると、燃料電池コントローラ２１０は、バルブ１２４および１２６を徐々に再び開けて、選定された燃料電池ユニットの電力生成を限定最大値まで再び上昇させる場合がある。あるいは、もし電気負荷が減少したことを示す他の表示を受信すると、燃料電池コントローラ２１０は５１０および５１２を繰り返し、第二組の燃料電池ユニット２０６にある追加の燃料電池ユニットを選定し、追加の燃料電池ユニットの電力出力を他の最小値に低減させるように操作パラメータを調整する場合がある。
【００８３】
様々な代表的実施形態に示されるシステムおよび方法の構造および構成は例示のみである。いくつかの実施形態のみが本開示に詳細に記載されているが、多くの変更形態が可能である（たとえば、様々な要素の大きさ、寸法、構造、形状、および比率、並びにパラメータの値、取付け方法、材料の使用、方向などの変化）。例として、要素の位置は反転もしくは変化されてもよく、個別の要素の性質もしくは数または位置が変更もしくは変化されてもよい。従って、このような変更形態の全ては、本開示の範囲内に含まれる意図がある。異なる実施形態に従って、いかなる工程もしくは方法段階の順番もしくは順序が変化もしくは再び順序付けられてもよい。本開示の範囲から逸脱することなく、例示の実施形態の設計、操作条件、および構成における他の代用、変更、変化、および省略がなされてもよい。
【００８４】
本開示は、様々な動作を完了させるための、メモリもしくは他の機械可読媒体における方法、システム、およびプログラム製品を企図する。本開示の実施形態は、既存のコンピュータ処理装置を使って、または、本目的もしくは他の目的のために組み込まれた適切なシステムのための特別な目的のコンピュータ処理装置によって、またはハードワイヤードシステムによって実施され得る。本開示の範囲内の実施形態は、そこに保存された機械が実行可能な命令もしくはデータ構造を運搬または所有するための機械可読媒体を有する、プログラム製品またはメモリを含む。このような機械可読媒体は、汎用もしくは特別な目的のコンピュータ、または処理装置を備える他の機械によってアクセス可能な、任意の入手可能な媒体の場合がある。例示として、このような機械可読媒体は、ＲＡＭ、ＲＯＭ、ＥＰＲＯＭ、ＥＥＰＲＯＭ、ＣＤ−ＲＯＭ、もしくは他の光学ディスクストレージ、磁気ディスクストレージもしくは他の磁気記憶装置、または汎用もしくは特別な目的のコンピュータまたは処理装置を備えた他の機械によってアクセス可能な、機械で実行可能な命令もしくはデータ構造という形態で所望されるプログラムコードを運搬または保存するのに使用できる他の媒体を含み得る。上述の組み合わせはまた、機械可読媒体の範囲内に含まれる。機械で実行可能な命令は、例として、汎用コンピュータ、特別な目的のコンピュータ、または特別な目的の処理機械に、特定の機能もしくは機能の群を実行するようにさせる命令およびデータを含む。
【００８５】
図は方法段階の特定の順番を示し得るが、段階の順番は図示されるものと異なってもよい。また、２つ以上の段階が同時にまたは部分的に同時に実行されてもよい。このような変更形態は選択されるソフトウェアおよびハードウェアシステム、ならびに設計者の好みによるであろう。すべてのこのような変更形態は本開示の範囲内である。同様に、ソフトウェア実装は、様々な接続段階、処理段階、比較段階、および決定段階を達成するためにルールベースロジック及び他のロジックを備えた標準的なプログラミング技術で完了され得る。
【図１】
2019521478.tif 000005
【図２】
2019521478.tif 000006
【図３】
2019521478.tif 000007
【図４】
2019521478.tif 000008
【図５】
2019521478.tif 000009
【図６】
2019521478.tif 000010
【図７】
2019521478.tif 000011
【手続補正書】
【提出日】平成31年1月10日(2019.1.10)
【手続補正１】
【補正対象書類名】特許請求の範囲
【補正対象項目名】全文
【補正方法】変更
【補正の内容】
【特許請求の範囲】
【請求項１】
燃料電池ユニットと燃料電池コントローラとを有する燃料電池システムであって、
前記燃料電池ユニットは変化する電気負荷に供給するための電力量を発生させるように構成され、前記電力量は前記燃料電池ユニットの操作パラメータの関数として変化し、前記燃料電池ユニットは燃料電池スタックを含み、
前記燃料電池コントローラは前記燃料電池ユニットと通信可能に結合され、前記燃料電池コントローラは、
前記変化する電気負荷が既定期間内で極大値であることを示す第一表示を受信して、
前記第一表示を受信するのに応じて、前記燃料電池スタックが前記燃料電池スタックの最大定格電力出力の既定割合である限定最大電力量を生成するように、前記燃料電池スタックを第一値を有する操作パラメータで操作し、
前記変化する電気負荷が前記極大値から減少した表示を受信して、
前記変化する電気負荷が前記極大値から減少した前記表示を受信するのに応じて、前記燃料電池スタックが前記限定最大電力量より低い電力量を生成するように、前記燃料電池スタックを第二値を有する操作パラメータで操作するように構成される、燃料電池システム。
【請求項２】
前記最大定格電力出力の前記既定割合は約５０％から約６５％の間である、請求項１の燃料電池システム。
【請求項３】
前記最大定格電力出力の前記既定割合は約６５％である、請求項２の燃料電池システム。
【請求項４】
前記電気負荷は配電網である、請求項１ないし３のいずれか一項に記載の燃料電池システム。
【請求項５】
前記燃料電池システムは、前記変化する電気負荷に供給するための電力量を発生するように構成される複数の燃料電池ユニットを有し、前記電力量は前記複数の燃料電池ユニットの操作パラメータの関数として変化し、前記複数の燃料電池ユニットの各燃料電池ユニットの電気出力は結合されて前記変化する電気負荷に電力を供給し、前記複数の燃料電池ユニットの各々は前記最大定格電力出力の電力出力を生成することができ、
前記燃料電池コントローラは、前記第一表示を受信するのに応じて、前記複数の燃料電池ユニットのサブセットが限定最大電力量を生成するように、前記複数の燃料電池ユニットを第一組の値を有する操作パラメータで操作するように構成され、前記限定最大電力量は前記燃料電池ユニットの前記最大定格電力出力の既定割合である、請求項１ないし４のいずれか一項に記載の燃料電池システム。
【請求項６】
前記燃料電池コントローラは、
前記変化する電気負荷が前記極大値から減少した前記表示を受信するのに応じて、前記燃料電池ユニットのサブセットの燃料電池ユニットを選定し、
選定した前記燃料電池ユニットの電力出力が第一既定期間にわたって、最小値に下降するように、選定した前記燃料電池ユニットの操作パラメータの値を既定期間にわたって調整するように構成される、
請求項５の燃料電池システム。
【請求項７】
前記最小値は多くても前記最大定格電力出力の４０％であり、前記第一既定期間は約１から約３時間の間である、請求項６の燃料電池システム。
【請求項８】
前記電気負荷の電力需要レベルに基づいて信号を発生するように構成される負荷センサをさらに有し、前記第一表示および第二表示は前記負荷センサによって発生された前記信号を含み、
前記燃料電池コントローラはさらに、
前記変化する電気負荷が極大値である第二表示を受信し、
前記燃料電池スタックの電力出力が第二既定期間にわたって限定最大値に戻るように、前記燃料電池ユニットの操作パラメータの値を既定期間にわたって調整するように構成される、
請求項１ないし７のいずれか一項に記載の燃料電池システム。
【請求項９】
前記燃料電池スタックは、燃料供給から生じる反応燃料を受け取るように構成されるアノードと、酸化剤ガスを受け取るように構成されるカソードとを含む、溶融炭酸塩型燃料電池を有しており、前記操作パラメータは前記燃料供給からの燃料流量、または酸化装置からの前記酸化剤ガスの流量のうち少なくとも一つを定義する、請求項１ないし８のいずれか一項に記載の燃料電池システム。
【請求項１０】
第一の複数の燃料電池ユニット、第二の複数の燃料電池ユニット、および燃料電池コントローラを有する燃料電池システムであって、
前記第一の複数の燃料電池ユニットは、変化する電気負荷に電力を供給するように構成され、電力量は前記第一の複数の燃料電池ユニットの操作パラメータの関数として変化し、前記第一の複数の燃料電池ユニットの各々は、燃料電池スタックを含み、
前記第二の複数の燃料電池ユニットは、前記変化する電気負荷に電力を供給するように構成され、電力量は前記第二の複数の燃料電池ユニットの操作パラメータの関数として変化し、前記第二の複数の燃料電池ユニットの各々は、燃料電池スタックを含み、前記第一の複数の燃料電池ユニットと前記第二の複数の燃料電池ユニットとにある各燃料電池スタックは最大定格電力出力を有しており、
前記燃料電池コントローラは、前記第一の複数の燃料電池ユニットと前記第二の複数の燃料電池ユニットとに通信可能に結合され、
前記燃料電池コントローラは、
前記第一の複数の燃料電池ユニットにある各燃料電池スタックが既定の操作条件で前記最大定格電力出力を生成するように、前記第一の複数の燃料電池ユニットの前記各燃料電池スタックを、既定値として第一値を有する操作パラメータで操作して、
前記変化する電気負荷が既定期間内で極大値である表示を受信し、
前記変化する電気負荷が前記極大値である前記表示に応じて、前記第二の複数の燃料電池ユニットの前記燃料電池スタックが前記最大定格電力出力の既定割合である限定最大電力量を生成するように、前記第二の複数の燃料電池ユニットにある前記燃料電池スタックの各々を、値を有する操作パラメータで操作して、
前記変化する電気負荷が極大値から減少した第一表示を受信し、
前記変化する電気負荷が前記極大値から減少した前記第一表示を受信するのに応じて、前記第二の複数の燃料電池ユニットにある燃料電池スタックの操作パラメータを、前記燃料電池スタックが前記限定最大電力量より低い電力量を生成するように調整するように構成される、燃料電池システム。
【請求項１１】
前記燃料電池コントローラはさらに、前記変化する電気負荷が前記極大値である前記表示を受信するのに応じて、前記第二の複数の燃料電池ユニットの各燃料電池スタックが同じ限定最大値の電力出力を生成するように、前記第二の複数の燃料電池ユニットにある前記燃料電池スタックの各々を同じ値を有する操作パラメータで操作するように構成され、
前記燃料電池コントローラは、
前記変化する電気負荷が前記極大値である前記表示を受信するのに応じて、
第一サブセットにある各燃料電池スタックが第一限定最大値の電力出力を生成するように、前記第二の複数の燃料電池ユニットの前記第一サブセットを第二値を有する操作パラメータで操作し、
第二サブセットにある各燃料電池スタックが第二限定最大値の電力出力を生成するように、前記第二の複数の燃料電池ユニットの前記第二サブセットを、第三値を有する操作パラメータで操作するように構成される、
請求項１０の燃料電池システム。
【請求項１２】
前記燃料電池コントローラはさらに、前記変化する電気負荷が極大値から減少した第一表示を受信するのに応じて、前記第一サブセットにある各燃料電池スタックが第一最小電力量を生成するように、前記第一サブセットを第四値を有する操作パラメータで操作し、一方で前記第二サブセットを前記第二値を有する前記操作パラメータで操作し続けるように構成される、
請求項１１の燃料電池システム。
【請求項１３】
前記最大定格電力出力の前記既定割合は、約５０％から約６５％の間であり、前記第一最小量は多くても前記最大定格電力出力の４０％である、請求項１２の燃料電池システム。
【請求項１４】
前記燃料電池コントローラはさらに、
前記変化する電気負荷が前記極大値から減少した第二表示を受信し、
前記第二表示を受信するのに応じて、前記第二サブセットにある前記各燃料電池スタックが第二最小電力量を生成するように、前記第二サブセットを第五値を有する操作パラメータで操作し、一方で前記第一サブセットを前記第二値を有する前記操作パラメータで操作し続けるように構成される、
請求項１２の燃料電池システム。
【請求項１５】
前記第一および前記第二の複数の燃料電池ユニットにある各燃料電池スタックは、燃料供給から生じる反応燃料を受け取るように構成されるアノードと、酸化装置から酸化剤ガスを受け取るように構成されるカソードとを含んでおり、操作パラメータは前記燃料供給からの前記反応燃料流量、または前記酸化装置からの酸化剤ガスの流量のうち少なくとも一つを定義する、請求項１０ないし１４のいずれか一項に記載の燃料電池システム。
【国際調査報告】
2019521478.tif 000012